(57)【要約】      （修正有）【課題】ジクソーパズルの完成品が壊れることがなく、携帯したりゲーム以外の用途に使用出来る機能を付与出来、更に光のイルミネーションにより美観を高めた立体ジクソーパズルを提供する。【解決手段】透明又は半透明の軸体５と、該軸体５に沿って互いに係合積層される透明又は半透明の複数のピース６と、軸体５に複数のピース６を係止する係止手段５ａ，８，１０とを有する構成であることを特徴とする。【選択図】図１
0003167997.tif 000002
【実用新案登録請求の範囲】
【請求項１】
透明又は半透明の軸体と、
前記軸体に沿って互いに係合積層される透明又は半透明の複数のピースと、
前記軸体に前記複数のピースを係止する係止手段と、
を有することを特徴とする立体ジクソーパズル。
【請求項２】
前記軸体が複数に分割されると共に、前記複数の軸体に前記複数のピースを係止する係止手段を有し、
前記軸体の軸方向に複数に分割可能とされた一方の立体ジクソーパズルの端部と、他方の立体ジクソーパズルの端部とを連結する連結手段を有することを特徴とする請求項１に記載の立体ジクソーパズル。
【請求項３】
前記連結手段により連結される一方の立体ジクソーパズルの軸体の端部と、他方の立体ジクソーパズルの軸体の端部とが対面して所定の隙間が形成されるか、或いは前記各軸体相互の間に透明又は半透明部材を介在して所定の隙間が形成されることを特徴とする請求項２に記載の立体ジクソーパズル。
【請求項４】
前記軸体を光導体として該軸体の軸方向の一端部に配置される光源が前記立体ジクソーパズルに一体的に設けられるか、或いは前記立体ジクソーパズルとは別体で設けられることを特徴とする請求項１〜３のいずれか１項に記載の立体ジクソーパズル。
【請求項５】
前記軸体または前記ピースの少なくとも一方が蓄光材料で構成されたことを特徴とする請求項１〜４のいずれか１項に記載の立体ジクソーパズル。
【請求項６】
前記軸体または前記ピースの少なくとも一方が紫外線偏光材料で構成されたことを特徴とする請求項１〜４のいずれか１項に記載の立体ジクソーパズル。
【考案の詳細な説明】
【技術分野】
【０００１】
本考案は、透明又は半透明なピースを立体的に係合積層して光のイルミネーションにより美観を高めた立体ジクソーパズルに関するものである。
【背景技術】
【０００２】
従来のジクソーパズルとしては、１枚の絵を、いくつかのピースと呼ばれる小片に分け、その各辺に円状の凸部または凹部を設けて、それにより隣のピースとかみ合うように構成し、ばらばらにしたものを再び組み立てるというタイプの平面ジクソーパズルがあるが、遊び方に自由度が少ないためゲーム性に乏しいということで、例えば、特許文献１、２に開示されたような立体ジクソーパズルが提案されている。更に難易度が増すように、特許文献３に開示されたように、それぞれのピースが垂直方向に結合して層を成し、それらの層と層とが噛み合って立体物と成っていく立体ジクソーパズルも提案されている。一方、本出願人は、特許文献４に開示されたように、複数の環状体からなるピースを軸体の軸方向に係合積層して完成される立体ジクソーパズルを提案している。
【先行技術文献】
【特許文献】
【０００３】
【特許文献１】特開平０６−２５４２６３号公報
【特許文献２】特開平１０−２３５０２８号公報
【特許文献３】特開平０９−１５５０６１号公報
【特許文献４】実用新案登録第３１５５５２３号公報
【考案の概要】
【考案が解決しようとする課題】
【０００４】
しかしながら、前述の特許文献１〜３の技術では、ジクソーパズルが完成した後は鑑賞用に静置するものが主流であり、持ち運ぶと完成品が壊れやすく、携帯したりゲーム以外の用途に使用出来る機能を有するものではなかった。また、特許文献４の技術では、ジクソーパズルの完成品が壊れることがなく、携帯したりゲーム以外の用途に使用出来る機能を付与出来る立体ジクソーパズルであったが、光のイルミネーションを付与する思想はなかった。
【０００５】
本考案は前記課題を解決するものであり、その目的とするところは、ジクソーパズルの完成品が壊れることがなく、携帯したりゲーム以外の用途に使用出来る機能を付与出来、更に光のイルミネーションにより美観を高めた立体ジクソーパズルを提供せんとするものである。
【課題を解決するための手段】
【０００６】
前記目的を達成するための本考案に係る立体ジクソーパズルの第１の構成は、透明又は半透明の軸体と、前記軸体に沿って互いに係合積層される透明又は半透明の複数のピースと、前記軸体に前記複数のピースを係止する係止手段とを有することを特徴とする。
【０００７】
また、本考案に係る立体ジクソーパズルの第２の構成は、前記第１の構成において、前記軸体が複数に分割されると共に、前記複数の軸体に前記複数のピースを係止する係止手段を有し、前記軸体の軸方向に複数に分割可能とされた一方の立体ジクソーパズルの端部と、他方の立体ジクソーパズルの端部とを連結する連結手段を有することを特徴とする。
【０００８】
また、本考案に係る立体ジクソーパズルの第３の構成は、前記第２の構成において、前記連結手段により連結される一方の立体ジクソーパズルの軸体の端部と、他方の立体ジクソーパズルの軸体の端部とが対面して所定の隙間が形成されるか、或いは前記各軸体相互の間に透明又は半透明部材を介在して所定の隙間が形成されることを特徴とする。
【０００９】
また、本考案に係る立体ジクソーパズルの第４の構成は、前記第１〜第３の構成において、前記軸体を光導体として該軸体の軸方向の一端部に配置される光源が前記立体ジクソーパズルに一体的に設けられるか、或いは前記立体ジクソーパズルとは別体で設けられることを特徴とする。
【００１０】
また、本考案に係る立体ジクソーパズルの第５の構成は、前記第１〜第４の構成において、前記軸体または前記ピースの少なくとも一方が蓄光材料で構成されたことを特徴とする。
【００１１】
また、本考案に係る立体ジクソーパズルの第６の構成は、前記第１〜第４の構成において、前記軸体または前記ピースの少なくとも一方が紫外線偏光材料で構成されたことを特徴とする。
【考案の効果】
【００１２】
本考案に係る立体ジクソーパズルの第１の構成によれば、軸体に沿って互いに係合積層される複数のピースを係止手段により該軸体に係止することで、ジクソーパズルの完成品が壊れることがなく、携帯したりゲーム以外の用途に使用出来る。また、軸体及び複数のピースが透明又は半透明であるため軸体やピースの接合部で光の乱反射が発生し、その光のイルミネーションにより美観を高めることが出来る。
【００１３】
本考案に係る立体ジクソーパズルの第２の構成によれば、軸体が複数に分割されたことで、複数の軸体相互の接合部でも光の乱反射が発生し、その光のイルミネーションにより美観を高めることが出来る。
【００１４】
本考案に係る立体ジクソーパズルの第３の構成によれば、複数の軸体相互の接合部に所定の隙間が形成されることで、その隙間の部位で光導体としての軸体の端面で光が外部に発散し、その光のイルミネーションにより美観を高めることが出来る。
【００１５】
本考案に係る立体ジクソーパズルの第４の構成によれば、軸体の軸方向の一端部に配置される光源から出射された光が軸体を光導体として透過し、軸体やピースの接合部で光源の色に輝く光の乱反射が発生し、軸体の端面で光源の色に輝く光が外部に発散し、それらの光のイルミネーションにより美観を高めることが出来る。
【００１６】
本考案に係る立体ジクソーパズルの第４の構成によれば、蓄光材料で構成された軸体やピースに蓄光され、光源の電源を切った後も蓄光された光のイルミネーションにより美観を高めることが出来る。
【００１７】
本考案に係る立体ジクソーパズルの第５の構成によれば、紫外線偏光材料で構成された軸体やピースに紫外線が当たると光が偏光され、光のイルミネーションにより美観を高めることが出来る。
【図面の簡単な説明】
【００１８】
【図１】本考案に係る立体ジクソーパズルの構成を示す斜視説明図である。
【図２】本考案に係る立体ジクソーパズルの構成を示す分解斜視図である。
【図３】本考案に係る立体ジクソーパズルの構成を示す分解斜視図である。
【図４】（ａ），（ｂ）は軸受部材の構成を示す上面斜視図及び底面斜視図、（ｃ），（ｄ）はピースの一例を示す上面斜視図及び底面斜視図、（ｅ），（ｆ）はピースの他の一例を示す上面斜視図及び底面斜視図である。
【図５】（ａ），（ｂ）はピースの更に他の一例を示す上面斜視図及び底面斜視図、（ｃ），（ｄ）はピースの更に他の一例を示す上面斜視図及び底面斜視図である。
【図６】（ａ），（ｂ）は塔下部に設けられる係止手段の構成を示す上面斜視図及び底面斜視図、（ｃ）は（ａ）の矢視断面説明図である。
【図７】（ａ），（ｂ）は塔上部に設けられる係止手段の構成を示す上面斜視図及び底面斜視図、（ｃ）は（ａ）の矢視断面説明図である。
【図８】塔上部と塔下部とを連結する連結手段の構成を示す斜視説明図である。
【図９】光源からの光が軸体を光導体として導かれ、複数に分割された軸体の端面から光を発散する様子を示す模式図である。
【考案を実施するための形態】
【００１９】
図により本考案に係る立体ジクソーパズルの一実施形態を具体的に説明する。図１〜図９において、本実施形態は東京スカイツリー（登録商標）を模した立体ジクソーパズル１の一例である。本実施形態の立体ジクソーパズル１は、図３に示すように、塔下部２と塔上部３とが大きく二分割される。尚、二分割以上で他の複数に大きく分割出来る構成であっても良い。
【００２０】
立体ジクソーパズル１を構成する塔下部２と塔上部３とは、図２に示すように、それぞれ透明又は半透明の軸体４，５と、該軸体４，５に沿って互いに係合積層される透明又は半透明の複数のピース６と、該軸体４，５に複数のピース６を係止する係止手段となる軸体４の頭部４ａ、雌ネジ部材８、軸体５のフランジ部５ａ、雌ネジ部材10とを有する。また、軸体４の頭部４ａは台座部７の底面に滑動自在に当接され、軸体５のフランジ部５ａは軸受部材９の上面９ｄに滑動自在に当接される。
【００２１】
複数のピース６は、図４（ｃ）〜（ｆ）及び図５に示すように、軸体４，５が挿通される貫通穴６ａと、各ピース６の表裏面にそれぞれ設けられた所定形状の凸部６ｂ及び軸体４，５に沿って隣接される他のピース６の凸部６ｂに嵌合して係止される凹部６ｃとを有して環状に形成されている。図４（ｃ）〜（ｆ）及び図５は、塔上部３に設けられる図２に示す各ピース６Ａ，６Ｂ，６Ｃ，６Ｄの一例を示す図である。
【００２２】
本実施形態のピース６の外形は塔上部３では上方から下方に向かって徐々に外径が大きくなる円形状で構成され、塔下部２では上方から下方に向かって徐々に外形が大きくなると共に、略三角形の３つの角部が所定の曲率を有して湾曲し、３辺が外側に凸に所定の曲率を有して湾曲した形状から徐々に３つの角部が６０度の鋭角で３辺が直線の正三角形状に変遷するように構成されている。
【００２３】
＜係止手段＞
塔下部２に設けられる軸体４に複数のピース６を係止する係止手段の具体的構成について以下に説明する。塔下部２に設けられる軸体４は透明又は半透明のボルト部材で構成され、図２及び図３に示すように、透明又は半透明の台座部７の貫通穴７ａにボルト部材からなる軸体４を下方から挿通し、その頭部４ａが台座部７の底面に滑動自在に当接係合される。台座部７の上面には凸部７ｂ及び凹部７ｃが設けられており、最下部位のピース６の凹部６ｃに凸部７ｂが嵌合し、凸部６ｂに凹部７ｃが嵌合されて係止される。
【００２４】
一方、塔下部２の最上部位には、図６に示す透明又は半透明の雌ネジ部材８が設けられ、該雌ネジ部材８の貫通穴８ａの内周面にはボルト部材により構成された軸体４の先端部に形成された雄ネジ４ｂに螺合し得る雌ネジ8a1が形成されている。雌ネジ部材８の底面には凸部８ｂ及び凹部８ｃが設けられており、図２に示す塔下部２の最上部位のピース６の凹部６ｃに凸部８ｂが嵌合し、凸部６ｂに凹部８ｃが嵌合されて係止される。
【００２５】
そして、ボルト部材からなる軸体４の頭部４ａを台座部７の底面に当接して該軸体４を起立させた状態で、図２及び図３に示す最下部位のピース６を該ピース６の貫通穴６ａに軸体４を挿通させて挿入し、該ピース６の凸部６ｂ、凹部６ｃを台座部７の凹部７ｃ、凸部７ｂにそれぞれ嵌合させて積層する。同様に順次ピース６を該ピース６の貫通穴６ａに軸体４を挿通させて上下に隣接するピース６相互の表裏面に形成された凹部６ｃ、凸部６ｂを互いに嵌合させて積層し、雌ネジ部材８の底面に設けられた凸部８ｂ及び凹部８ｃを最上部位のピース６の凹部６ｃに凸部６ｂに嵌合させつつ、ボルト部材からなる軸体４の先端部に設けられた雄ネジ４ｂを雌ネジ部材８の貫通穴８ａに設けられた雌ネジ8a1に螺合締結することで台座部７、軸体４、ピース６、雌ネジ部材８が一体的に固定される。
【００２６】
次に塔上部３に設けられる軸体５に複数のピース６を係止する係止手段の具体的構成について以下に説明する。図２に示すように、塔上部３に設けられる軸体５は、その中間部にフランジ部５ａが設けられ、下端部に雄ネジ５ｂが設けられた透明又は半透明のボルト部材で構成される。本実施形態では、図４（ａ），（ｂ）に示す筒状で透明又は半透明の軸受部材９をフランジ部５ａと最上部位のピース６との間に介在させ、フランジ部５ａの下面と、軸受部材９の上面９ｄとが互いに平坦で滑動自在に当接される。そして、図４（ｂ）に示す軸受部材９の底面に凸部９ｂ及び凹部９ｃが形成され、図４（ｃ）に示す塔上部３の最上部位のピース６の上面の凹部６ｃ、凸部６ｂにそれぞれ嵌合して係止される。
【００２７】
一方、塔上部３の最下部位には、図７に示す透明又は半透明の雌ネジ部材10が設けられ、該雌ネジ部材10の貫通穴10ａの内周面にはボルト部材により構成された軸体５の先端部に形成された雄ネジ５ｂに螺合し得る雌ネジ10a1が形成されている。図７（ａ）に示すように、雌ネジ部材10の上面には凸部10ｂ及び凹部10ｃが設けられており、図２に示す塔上部３の最下部位のピース６の凹部６ｃに凸部10ｂが嵌合し、凸部６ｂに凹部10ｃが嵌合されて係止される。
【００２８】
そして、ボルト部材からなる軸体５のフランジ部５ａの下面側に軸受部材９を該軸受部材９の貫通穴９ａに軸体５を挿通させて挿入し、軸体５のフランジ部５ａを軸受部材９の上面９ｄに当接して該軸体５を上下反対に起立させた状態で図４（ｃ）に示す最上部位のピース６を該ピース６の貫通穴６ａに軸体５を挿通させて挿入し、該ピース６の上面の凸部６ｂ、凹部６ｃを、図４（ｂ）に示す軸受部材９の下面の凹部10ｃ、凸部10ｂにそれぞれ嵌合させて積層する。同様に順次ピース６を該ピース６の貫通穴６ａに軸体５を挿通させて上下に隣接するピース６相互の表裏面に形成された凹部６ｃ、凸部６ｂを互いに嵌合させて積層し、図７（ａ）に示す雌ネジ部材10の上面に設けられた凸部10ｂ及び凹部10ｃを、図２に示す最下部位のピース６の凹部６ｃ及び凸部６ｂに嵌合させつつ、ボルト部材からなる軸体５の先端部に設けられた雄ネジ５ｂを雌ネジ部材10の貫通穴10ａに設けられた雌ネジ10a1に螺合締結することで軸体５、軸受部材９、ピース６、雌ネジ部材10が一体的に固定される。
【００２９】
本実施形態では、立体ジクソーパズル１の光導体として機能する軸体が、軸体４，５の複数（２つ）に分割されると共に、複数の軸体４，５に複数のピース６をそれぞれ係止する係止手段が、塔下部２についてはボルト部材からなる軸体４の頭部４ａと雌ネジ部材８とにより構成され、塔上部３についてはボルト部材からなる軸体５のフランジ部５ａと雌ネジ部材10とにより構成される。
【００３０】
＜連結手段＞
軸体４，５の軸方向（図２の上下方向）に複数（２つ）に分割可能とされた一方の立体ジクソーパズルとなる塔下部２の端部と、他方の立体ジクソーパズルとなる塔上部３の端部とを連結する連結手段の具体的構成について以下に説明する。
【００３１】
塔下部２の上端部に設けられる雌ネジ部材８の上部には、図６（ｃ）に示すように、軸体４が挿通される筒部８ｄと、該筒部８ｄの上端部に設けられたフランジ部８ｅが設けられており、塔上部３の下端部に設けられる雌ネジ部材10の下部には、図７（ｃ）に示すように、軸体５が挿通される筒部10ｄと、該筒部10ｄの下端部に設けられたフランジ部10ｅが設けられている。塔下部２の端部となるフランジ部８ｅと、塔上部３の端部となるフランジ部10ｅとを連結する連結手段となる連結部材11，12は、図８に示すように、雌ネジ部材８のフランジ部８ｅを収容し得る溝部11ａ，12ａと、雌ネジ部材10のフランジ部10ｅを収容し得る溝部11ｂ，12ｂとが所定の離間距離を隔てて設けられた略半月形状により構成される。連結部材11，12には雌ネジ部材８，10の筒部８ｄ，10ｄのそれぞれの外周面に嵌合する凹部11ｃ，11ｄ，12ｃ，12ｄが設けられており、連結部材11，12の互いに当接する当接面11ｅ，12ｅには溝部11ａ，11ｂ，12ａ，12ｂのそれぞれの外周に沿って凸部11ｆ，12ｆ及び凹部11ｇ，12ｇが設けられている。
【００３２】
そして、立体ジクソーパズル１の塔下部２の上端部に設けられる雌ネジ部材８の上端部に設けられたフランジ部８ｅを連結部材11，12の溝部11ａ，12ａに嵌入すると共に、塔上部３の下端部に設けられる雌ネジ部材10の下端部に設けられたフランジ部10ｅを連結部材11，12の溝部11ｂ，12ｂに嵌入させて連結部材11，12の当接面11ｅ，12ｅに設けられた凸部11ｆ，12ｆを凹部11ｇ，12ｇに嵌合させて該連結部材11，12の当接面11ｅ，12ｅを当接させることで塔下部２の端部と塔上部３の端部とが連結される。
【００３３】
また、連結手段となる半月形状の連結部材11，12により連結される一方の立体ジクソーパズルとなる塔下部２の軸体４の端部と、他方の立体ジクソーパズルとなる塔上部３の軸体５の端部とが対面して所定の隙間が形成される。このとき、軸体４の上端縁と、軸体５の下端縁とは所定の離間距離が設けられている。尚、各軸体４，５相互（軸体相互）の間に透明又は半透明部材を介在して所定の隙間を形成することでも良い。
【００３４】
図１及び図３に示すように、台座部７の下部には光源となる発光ダイオード（ＬＥＤ；Light Emitting Diode）13が設けられている。本実施形態の発光ダイオード13は複数色の光を複数の発光パターンで発光させる制御部が設けられている。そして、軸体４，５を光導体として該軸体４，５の軸方向（図１の上下方向）の一端部（台座部７の下部）に配置される光源となる発光ダイオード13が立体ジクソーパズル１とは別体で設けられている。尚、光源となる発光ダイオード13を立体ジクソーパズル１の台座部７に一体的に設けることでも良い。
【００３５】
本実施形態の軸体４，５及びピース６、並びに台座部７、雌ネジ部材８，10、連結部材11，12、軸受部材９は蓄光材料または紫外線偏光材料で構成されている。蓄光材料は、紫外線や可視光線を含む太陽光や蛍光灯、白熱灯等の照明の光エネルギーを吸収して、電子が励起し、それが基底状態に戻る際に余分なエネルギーを電磁波として放出して暗所で発光する性質を有するものである。また、暗所で発光していると、次第に暗くなってくる性質を有し、光エネルギーを吸収して、電子が励起すると再び発光する。このような発光と励起を何回でも半永久的に繰り返すことが出来る。蓄光材料は、アルミナ系酸化物等の無機顔料や有機顔料が使用出来、１０００℃以上の温度で溶融されて作られているため、耐候性や耐熱性に対して極めて安定しており、半永久的に発光を繰り返す。本実施形態では、それらの顔料をポリプロピレン（ＰＰ；Polypropylene）やポリスチレン（ＰＳ；Polystyrene）等の樹脂に混入して製作する。
【００３６】
紫外線偏光材料は、紫外線が当たると光が偏光されるものであり、紫外線偏光材料で構成された軸体４，５やピース６に紫外線が当たると偏光により発光色が変わる光のイルミネーションにより美観を高めることが出来る。
【００３７】
上記構成によれば、軸体４，５に沿って互いに係合積層される複数のピース６を塔下部２についてはボルト部材からなる軸体４の頭部４ａと雌ネジ部材８とにより構成される係止手段、塔上部３についてはボルト部材からなる軸体５のフランジ部５ａと雌ネジ部材10とにより構成される係止手段により、それぞれ該軸体４，５に複数のピース６を係止することで、ジクソーパズルの完成品が壊れることがなく、携帯したりゲーム以外の用途に使用出来る。また、軸体４，５及び複数のピース６、並びに台座部７、雌ネジ部材８，10、軸受部材９、連結部材11，12が透明又は半透明であるため軸体４，５やピース６の接合部等で光の乱反射が発生し、その光のイルミネーションにより美観を高めることが出来る。
【００３８】
また、軸体が複数（２つ）の軸体４，５に分割されたことで、図９に示すように、複数の軸体４，５相互の接合部でも光導体としての該軸体４，５の端面から光が外部に発散されることにより、光の乱反射が発生し、その光のイルミネーションにより美観を高めることが出来る。
【００３９】
また、複数の軸体４，５相互の接合部で連結部材11，12により互いの端面間に所定の隙間が形成されることで、その隙間の部位で光導体としての軸体４，５の端面で光が外部に発散し、その光のイルミネーションにより美観を高めることが出来る。
【００４０】
また、軸体４，５の軸方向の一端部に配置される光源となる発光ダイオード13から出射された光が軸体４，５を光導体として透過し、軸体４，５やピース６等の接合部で光源の色に輝く光の乱反射が発生し、軸体４，５の端面で光源の色に輝く光が外部に発散し、それらの光のイルミネーションにより美観を高めることが出来る。
【００４１】
また、蓄光材料で構成された軸体４，５やピース６等に蓄光され、光源となる発光ダイオード13の電源を切った後も蓄光された光のイルミネーションにより美観を高めることが出来る。
【００４２】
また、紫外線偏光材料で構成された軸体４，５やピース６等に紫外線が当たると偏光により発光色が変わる光のイルミネーションにより美観を高めることが出来る。
【産業上の利用可能性】
【００４３】
本考案の活用例として、透明又は半透明なピースを立体的に係合積層して光のイルミネーションにより美観を高めた立体ジクソーパズルに適用出来る。
【符号の説明】
【００４４】
１    …立体ジクソーパズル
２    …塔下部
３    …塔上部
４ …軸体
４ａ  …頭部（係止手段）
４ｂ  …雄ネジ
５ …軸体
５ａ  …フランジ部（係止手段）
５ｂ  …雄ネジ
６    …ピース
６ａ  …貫通穴
６ｂ  …凸部
６ｃ  …凹部
７    …台座部
７ａ  …貫通穴
７ｂ  …凸部
７ｃ  …凹部
８    …雌ネジ部材（係止手段）
８ａ  …貫通穴
８ｅ  …フランジ部
8a1   …雌ネジ
８ｂ…凸部
８ｃ  …凹部
８ｄ  …筒部
９    …軸受部材
９ａ  …貫通穴
９ｂ  …凸部
９ｃ  …凹部
10    …雌ネジ部材（係止手段）
10ａ  …貫通穴
10a1…雌ネジ
10ｂ  …凸部
10ｃ  …凹部
10ｄ  …筒部
10ｅ  …フランジ部
11，12 …連結部材（連結手段）
11ａ，12ａ …溝部
11ｂ，12ｂ …溝部
11ｃ，11ｄ，12ｃ，12ｄ …凹部
11ｅ，12ｅ …当接面
11ｆ，12ｆ …凸部
11ｇ，12ｇ …凹部
13    …発光ダイオード（光源）
【図１】
0003167997.tif 000003
【図２】
0003167997.tif 000004
【図３】
0003167997.tif 000005
【図４】
0003167997.tif 000006
【図５】
0003167997.tif 000007
【図６】
0003167997.tif 000008
【図７】
0003167997.tif 000009
【図８】
0003167997.tif 000010
【図９】
0003167997.tif 000011